(57)【要約】      （修正有）【課題】表示画面をより有効に活用できる情報端末装置を提供する。【解決手段】第１の表示エリアと該第１の表示エリアよりもその面積が略小さい第２の表示エリアとに区分して表示する第１の表示制御手段と、前記表示部に表示される画面が前記一部の操作画面から所定の操作画面に遷移したとき、前記第１の表示エリアと前記第２の表示エリアとの境界の少なくとも一部を変更して、前記第２のエリアを拡張した拡張表示エリアを前記表示部に表示する第２の表示制御手段と、前記拡張表示エリアに、前記第２の表示エリアに表示されるアプリケーション操作の機能ボタンとは異なるアプリケーション操作の予め定められた機能を実行するための第１の機能操作ボタンを表示する第１の機能ボタン表示制御手段とを備える。【選択図】図１
2010134959.tif 000002
【特許請求の範囲】
【請求項１】
複数のアプリケーションを備え、前記複数のアプリケーションを選択的に起動できる情報端末装置において、
前記複数のアプリケーションのうち、選択されたアプリケーションに応じた操作画面を表示する表示部と、
前記複数の操作画面の少なくとも一部の操作画面を、第１の表示エリアと該第１の表示エリアよりもその面積が略小さい第２の表示エリアとに区分して表示する第１の表示制御手段と、
前記表示部に表示される画面が前記一部の操作画面から所定の操作画面に遷移したとき、前記第１の表示エリアと前記第２の表示エリアとの境界の少なくとも一部を変更して、前記第２のエリアを拡張した拡張表示エリアを前記表示部に表示する第２の表示制御手段と、
前記拡張表示エリアに、前記第２の表示エリアに表示されるアプリケーション操作の機能ボタンとは異なるアプリケーション操作の予め定められた機能を実行するための第１の機能操作ボタンを表示する第１の機能ボタン表示制御手段とを備え、
前記第１のアプリケーション操作ボタンは、前記一部の操作画面の前記第１の表示エリアに表示されている前記選択されたアプリケーションに応じた操作画面から遷移した他のアプリケーションの操作画面の内容に応じて表示画面操作するための機能ボタンであることを特徴とする情報端末装置。
【請求項２】
前記第１の表示制御手段は、前記第１の表示エリアと前記第２の表示エリアとの境界を前記表示部に表示し、
前記第２の表示制御手段は、前記境界を変更して前記第２の表示エリアを部分的に拡張し前記拡張表示エリアを表示することを特徴とする請求項１に記載の情報端末装置。
【請求項３】
前記第１の表示制御手段は、前記第２の表示エリアを前記一部の操作画面の上端部及び下端部のそれぞれに配置し、
前記第２の表示制御手段は、前記境界を前記上端部及び前記下端部に配置された前記第２の表示エリアをそれぞれ下方向と上方向に部分的に拡張して前記拡張表示エリアを表示することを特徴とする請求項２に記載の情報端末装置。
【請求項４】
前記第２の表示エリアに予め定められた機能を実行するための前記第１の機能ボタンとは異なる第２の機能ボタンを表示する第２の機能ボタン表示制御手段を備えたことを特徴とする請求項１〜３のいずれかに記載の情報端末装置。
【請求項５】
前記第１の表示制御手段にて表示する前記一部の操作画面が第１の表示エリアに複数の選択項目を表示する選択操作画面であり、
前記第１の機能ボタン表示制御手段にて前記拡張表示エリアに表示される前記第１の機能ボタンが、前記第１の表示エリアに表示されている前記選択項目のスクロール操作を指示する機能ボタンであることを特徴とする請求項３に記載の情報端末装置。
【請求項６】
前記第１の機能ボタン表示制御手段は、前記上端部の前記拡張表示エリアに前記選択項目の上方向へのスクロール操作を指示する機能ボタンを表示するとともに、前記下端部の前記拡張表示エリアに前記選択項目の下方向へのスクロール操作を指示する機能ボタンを表示し、
前記第１の表示制御手段により前記複数の選択項目の内、最も上に位置する選択項目が前記表示部に表示されている場合は、前記上方向へのスクロールを指示する機能ボタンを表示せず、最も下に位置する選択項目が前記表示部に表示されている場合は、前記下方向へのスクロールを指示する機能ボタンを表示しないことを特徴とする請求項５に記載の情報端末装置。
【発明の詳細な説明】
【技術分野】
【０００１】
本発明は、携帯情報端末装置に関するものである。
【背景技術】
【０００２】
一般に、情報端末装置等においては、アプリケーションに応じて種々の操作画面が表示部に表示され、一般に、この操作画面は、各種データ情報又はメニュー項目を表示するための表示エリア（以下ウインドウ表示エリアと呼ぶ）と、タイトルバー又はツールバー等を表示する表示エリア（以下機能表示エリアと呼ぶ）に区分されている。機能表示エリアに多数の機能表示等を行うと、不可避的に機能表示エリアのサイズが拡大してしまい、ウインドウ表示エリアが圧迫されてしまうことになる。
【０００３】
このような不具合に対処するため、例えば、特開２００１−２４２９７６公報（特許文献１）では、タイトルバー、アイコンメニュー、プログラム表示領域等の表示画面に対する比率等を記憶しておき、表示画面のサイズが変更された場合は、前記の比率になるよう、タイトルバー、アイコンメニュー、プログラム表示領域等の表示サイズを変更している。つまり、特許文献１では、表示画面のサイズが変更されても、常に同じ比率でタイトルバー等を表示している。
【０００４】
なお、特開２０００−１７２３９５公報（特許文献２）には、同一のアプリケーションにおいて互いに異なる二つの画面を開いた際、各画面に対応する同一のメニューバー（及びツールバー）を一つに統合して表示することが示されている。特開平１１−１２６１４６号公報（特許文献３）には、ツールバーの表示専有面積を少なくするため、画面上で回転するベルトのイメージとして、ベルトの面上にツールボタンを配置したツールバーを表示する。そして、ベルトを左右に回転させることにより全てのツールボタンを表示するものが示されている。また、特開平１０−１８７６６９号公報（特許文献４）では、アプリケーションプログラムのツールボタン配置状態を選択実行回数の多い順に表示して、ツールバーをカスタマイズする作業を低減させている。特開平１０−９１３８４号公報（特許文献５）には、ツールバーに表示変更ボタンを設けて、ツールバーのボタンの状態をスクロールするようにして、全てのボタンを表示できるようにしている。
【先行技術文献】
【特許文献】
【０００５】
【特許文献１】特開２００１−２４２９７６公報
【特許文献２】特開２０００−１７２３９５公報
【特許文献３】特開平１１−１２６１４６号公報
【特許文献４】特開平１０−１８７６６９号公報
【特許文献５】特開平１０−９１３８４号公報
【発明の概要】
【発明が解決しようとする課題】
【０００６】
ところで、上述のいずれの特許文献においても、画面のサイズに応じてメニューバーやツールバーのサイズを変更するものや、ツールバーの表示サイズを固定にし、その表示サイズ中で必要なツールバーのボタンを表示するもの等が開示されている。しかし、これらは、操作を行う操作画面の種類、内容や操作の遷移状態等によらず、ツールバーの表示サイズ決定しているものにすぎず、操作画面の種類、内容や操作の遷移状態等によっては、不必要なツールバーのボタンが表示されたり、必要となるツールバーのボタンが表示されない等の不具合があり、表示画面を有効に用いることはできなかった。また、特に、携帯情報端末装置のように、表示画面自体が小さいものでは、メニューバーやツールバー自体を表示するために、全体の表示エリアのかなりの割合を必要とするので、大型の表示画面を備えたパソコン等と比べ、このメニューバーやツールバー自体をできる限り小さい領域で表示することが要望されている。
【０００７】
本発明の目的は、表示画面をより有効に活用できる情報端末装置を提供することにある。
【課題を解決するための手段】
【０００８】
本発明は、複数のアプリケーションを備え、前記複数のアプリケーションを選択的に起動できる情報端末装置において、
前記複数のアプリケーションのうち、選択されたアプリケーションに応じた操作画面を表示する表示部と、
前記複数の操作画面の少なくとも一部の操作画面を、第１の表示エリアと該第１の表示エリアよりもその面積が略小さい第２の表示エリアとに区分して表示する第１の表示制御手段と、
前記表示部に表示される画面が前記一部の操作画面から所定の操作画面に遷移したとき、前記第１の表示エリアと前記第２の表示エリアとの境界の少なくとも一部を変更して、前記第２のエリアを拡張した拡張表示エリアを前記表示部に表示する第２の表示制御手段と、
前記拡張表示エリアに、前記第２の表示エリアに表示されるアプリケーション操作の機能ボタンとは異なるアプリケーション操作の予め定められた機能を実行するための第１の機能操作ボタンを表示する第１の機能ボタン表示制御手段とを備え、
前記第１のアプリケーション操作ボタンは、前記一部の操作画面の前記第１の表示エリアに表示されている前記選択されたアプリケーションに応じた操作画面から遷移した他のアプリケーションの操作画面の内容に応じて表示画面操作するための機能ボタンであることを特徴とする。
【０００９】
そして好ましくは前記第１の表示制御手段は、前記第１の表示エリアと前記第２の表示エリアとの境界を前記表示部に表示し、
前記第２の表示制御手段は、前記境界を変更して前記第２の表示エリアを部分的に拡張し前記拡張表示エリアを表示するのがよい。
又好ましくは前記第１の表示制御手段は、前記第２の表示エリアを前記一部の操作画面の上端部及び下端部のそれぞれに配置し、
前記第２の表示制御手段は、前記境界を前記上端部及び前記下端部に配置された前記第２の表示エリアをそれぞれ下方向と上方向に部分的に拡張して前記拡張表示エリアを表示するのがよい。
更に、前記第２の表示エリアに予め定められた機能を実行するための前記第１の機能ボタンとは異なる第２の機能ボタンを表示する第２の機能ボタン表示制御手段を備える。
この場合に好ましくは、前記第１の表示制御手段にて表示する前記一部の操作画面が第１の表示エリアに複数の選択項目を表示する選択操作画面であり、
前記第１の機能ボタン表示制御手段にて前記拡張表示エリアに表示される前記第１の機能ボタンが、前記第１の表示エリアに表示されている前記選択項目のスクロール操作を指示する機能ボタンである。
更に加えて、前記第１の機能ボタン表示制御手段は、前記上端部の前記拡張表示エリアに前記選択項目の上方向へのスクロール操作を指示する機能ボタンを表示するとともに、前記下端部の前記拡張表示エリアに前記選択項目の下方向へのスクロール操作を指示する機能ボタンを表示し、
前記第１の表示制御手段により前記複数の選択項目の内、最も上に位置する選択項目が前記表示部に表示されている場合は、前記上方向へのスクロールを指示する機能ボタンを表示せず、最も下に位置する選択項目が前記表示部に表示されている場合は、前記下方向へのスクロールを指示する機能ボタンを表示しないのがよい。
【発明の効果】
【００１０】
本発明によれば、情報端末装置において、前記複数のアプリケーションのうち、選択されたアプリケーションに応じた操作画面の面積を変更させるために、表示画面をより有効に活用することができるという効果がある。
【図面の簡単な説明】
【００１１】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置に表示されるメニュー画面の一つであるランチャ画面の一例を示す図である。
【図４】図１に示す携帯情報端末装置においてメニュー画面以外の操作画面（スケジュール画面）の一例を示す図である。
【図５】図１に示す携帯情報端末装置に表示されるメニュー画面の一つであるアクセサリー画面の一例を示す図である。
【発明を実施するための形態】
【００１２】
以下本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００１３】
まず、図１を参照して、図示の携帯情報端末装置（ＰＤＡ）は、ユーザが手のひらに把持できる大きさであり、外装ケース１１の前面にはほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、メモリカード等の外部メモリ媒体や、通信カード等の通信機器や、外部ハードディスク等の外部装置が挿入される挿入スロット１６、充電やパソコンとの各種データの送受信等を行う際に用いられる外部接続ターミナル１７、及びタッチペン（スタイラスペン）１８を収納するための収納部１９等が設けられている。
【００１４】
図１に示すように、サイドコントローラ１３、エスケープスイッチ１４、及び電源スイッチ１５は外装ケース１１の側面に一列に配置されており、図示の例では、図中上側から順にサイドコントローラ１３、エスケープスイッチ１４、及び電源スイッチ１５の順に配置されている。そして、サイドコントローラ１３は外装ケース１１を液晶表示パネル１２が正面にくるようにして、例えば、左手で把持した際に、サイドコントローラ１３が左手の親指が位置する可能性が高い位置に配置される。
【００１５】
サイドコントローラ１３の上側には外方向に延びる突起部１１ａが形成されており、サイドコントローラ１３の一部は外装ケース１１の側面に露出している。サイドコントローラ１１は図中実線矢印Ａで示す方向（上下方向）に所定の範囲で揺動可能（回動可能）に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。この回動（揺動）範囲は、左手の親指による略一回の押し上げ又は押し下げ操作で回動（揺動）操作可能な範囲に制限されている。そして、サイドコントローラ１３の露出面には、例えば、波形の突起状部１３ａが形成されている。
【００１６】
前述のように、サイドコントローラ１３は、例えば、左手親指で回動（揺動）操作又は押圧操作される。この際、左手親指は突起状部１３ａに触れることになる。サイドコントローラ１３は操作されない状態においては所定の位置（以下基準位置と呼ぶ）に位置しており、左手親指で基準位置から上方向に押し上げ操作すると、所定の回動量（揺動量）だけサイドコントローラ１３は回動（揺動）してそれ以上回動（揺動）しない。そして、左手親指をサイドコントローラ１３から放すと（つまり、サイドコントローラ１３を回動（揺動）するための力をなくすと）、サイドコントローラ１３は自動的に基準位置に復帰する。
【００１７】
同様に、左手親指で基準位置から下方向に押し下げ操作すると、所定の回動量（揺動量）だけサイドコントローラ１３は回動（揺動）してそれ以上回動（揺動）しない。そして、左手親指をサイドコントローラ１３から放すとサイドコントローラ１３は自動的に基準位置に復帰する。なお、押圧操作は基準位置においてのみ行うことができる。また、サイドコントローラ１３は上述のように、ＰＤＡ自体を保持している左手親指で操作するため、この親指の動きは制限を受け、複雑な操作は困難となっている。従って、より複雑な操作を必要とする回動操作よりも揺動操作の方が操作しやすいため、サイドコントローラ１３は好ましくは揺動操作とすべきである。
【００１８】
サイドコントローラ１３は前述の回動操作（揺動操作）又は押圧操作に応じて操作信号を送出し、この操作信号に応じて、後述するように、各種処理が実行される。
【００１９】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。なお、図示の例では、エスケープスイッチ１４は押圧操作され（実線矢印Ｃ）、これによって、エスケープ（ＥＳＣ）信号が送出され、後述するようにして、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００２０】
外部接続ターミナル１７によって、図示のＰＤＡは、例えば、通信アプリケーションを備えた専用の充電装置（所謂クレイドル装置）と接続することによって、パーソナルコンピュータ等とデータの送受信を行うことができる。また、外部接続ターミナル１７によって充電を行うことができる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）及び接触軌跡等を検出するタッチセンサを有している。
【００２１】
次に、図２を参照して、図示のＰＤＡは、中央処理装置（ＣＰＵ）２１を有しており、ＲＯＭ等の記憶部２２に格納された制御プログラムに応じてＰＤＡ全体の制御を行うとともに、記憶部２２に格納されたアプリケーションプログラム（単にアプリケーションともいう）に応じて後述する各種処理を実行する。なお、アプリケーションプログラムは、挿入スロット１６に挿入される外部メモリ媒体からや外部より通信により取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。
【００２２】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００２３】
図示のＰＤＡにはメール送受信部（メール送受信機能）２８が備えられており（前述の挿入スロット１６に挿入される通信カード等に備えてもよい）、このメール送受信部２８はＣＰＵ２１に接続されている。そして、メール送受信部２８は、例えば、携帯電話機等の通信機器（図示せず）や前述の通信カード等と接続されて、通信機器を介してメールの送受を行う。そして、メールの送信及び受信の都度、ＣＰＵ２１は送信メール及び受信メールを記憶部２２ａに記録する。これら送信メール及び受信メールは、記憶部２２ａから読み出して閲覧することができる。
【００２４】
いま、ＰＤＡが電源オフ状態である際に、電源スイッチ１５が押し上げ操作されると、電源スイッチ操作検出部２５ではこの押し上げ操作を検知して電源スイッチ１５操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を操作画面として表示する。
【００２５】
そして、このランチャ画面においてタップ操作又はサイドコントローラ操作を行うと、ランチャ画面上に表示されたメニュー項目に応じた他の操作画面に遷移する。つまり、液晶パネル１２には互いに異なる複数の操作画面が選択的に表示されることになる。これら操作画面の略大半は少なくとも後述の第１の表示エリアと第２の表示エリアとに区分され表示される。
【００２６】
図３を参照して、ランチャ画面における第１及び第２の表示エリアについて説明する。図示の例では、ランチャ画面は、第１の表示エリアであるウィンドウ表示エリア３１と、第２の表示エリアであるタイトルバー表示エリア３２及びタスクバー表示エリア３３とに境界線３４、境界線３５によって区分されている。後述するように、ランチャ画面においては、タイトルバー表示エリア３２及びタスクバー表示エリア３３は他の操作画面よりも部分的に拡張され、ここで、タイトルバー表示エリア３２には、タイトルバー３８が表示される。このタイトルバー３８は、図３に示すように、ランチャ表示方式切り替えアイコン３８ａ、実年月日と実時刻表示３８ｂ、壁紙切り替えアイコン３８ｃを備えるほか、タイトルバー表示エリア３２中の拡張された拡張タイトルバー表示エリア３２ａの部分には、後述する特定のアプリケーション操作ボタンが配置される。また、タスクバー表示エリア３３には、タスクバー３９が表示される。このタスクバー３９には、特に図示はしないが、種々のタスク機能等を規定するアイコン等が表示されている。これらのアイコンとしては、バックライトの点灯消灯用アイコン、メニューを表示するためのアイコン、通信関係の各種設定画面を表示するアイコン、液晶パネル１２の略下部にタップ操作用のキーボードを表示するアイコン等がある。また、このタスクバー表示エリア３３中の拡張された拡張タスクバー表示エリア３３ａの部分には、後述する特定のアプリケーション操作ボタンが配置される。
【００２７】
ウィンドウ表示エリア３１には、メニュー項目（選択項目）として、例えば、メール、ブラウザ、アドレス帳、スケジュール、メモ帳、ファイルビューア、アクセサリー、システム、及び設定等（図３には一部のみ記載）がアイコンとともに表示される。つまり、記憶部２２にはこれらメニュー項目に関するアプリケーションプログラム（アプリケーションソフト）が格納されていることになる。
【００２８】
いま、図３に示すランチャ画面において、上側スクロールボタン４１をタップ操作すると、ＣＰＵ２１の処理によりランチャ画面を上側に向かってスクロールして、メニュー項目上をカーソル４５が移動することになる。一方、下側スクロールボタン４３をタップ操作すると、同様にしてランチャ画面を下側に向かってスクロールして、メニュー項目上をカーソル４５が移動することになる。カーソルがメニュー項目のうち最も上側に位置するメニュー項目に位置づけられている際には、ＣＰＵ２１は上側スクロールボタン４１を拡張タイトルバー表示エリア３２ａの拡張部分に表示しない（つまり、上側スクロールボタン４１を消去する）。同様にして、カーソルがメニュー項目のうち最も下側に位置するメニュー項目に位置づけられている際には、ＣＰＵ２１は下側スクロールボタン４３を拡張タスクバー表示エリア３３ａの拡張部分に表示しない（つまり、下側スクロールボタン４３を消去する）。さらに、上側又は下側画面色変換ボタン４２又は４４をタップ操作すると、タップ操作する毎にランチャ画面の画面色が変わり、これによって、液晶パネル１２の画面色を変更することができる。例えば、ＣＰＵ２１は、タップ操作に応じて予め設定された複数の画面色を選択してトルグ的に液晶パネル１２の画面色を変更する。
【００２９】
なお、図３に示すランチャ画面において、タッチペン１８でメニュー項目の一つをタッチ操作すると、当該メニュー項目に係るアプリケーションプログラムが起動されて、当該メニュー項目に係るアプリケーションプログラムの操作画面に遷移する。一方、図３に示すランチャ画面において、サイドコントローラ１３を前述の基準位置から上側に回動操作（揺動）すると、図２に示すサイドコントローラ操作検出部２３ではこの上側操作を検知して、上側操作信号をＣＰＵ２１に与える。これによって、ＣＰＵ２１は、ランチャ画面においてカーソルを上側に移動させることになる。また、サイドコントローラ１３を基準位置から下側に操作すると、サイドコントローラ操作検出部２３ではこの下側操作を検知して、下側操作信号をＣＰＵ２１に与える。これによって、ＣＰＵ２１は、ランチャ画面においてカーソルを下側に移動させることになる。そして、メニュー項目の一つにカーソルを位置づけて、サイドコントローラ１３を押圧すると、サイドコントローラ操作検出部２３ではこの押圧操作を検知して、押圧操作信号をＣＰＵ２１に与える。これによって、ＣＰＵ２１は、カーソルが位置するメニュー項目を選択して、この選択したメニュー項目に係るアプリケーションプログラムが起動されて、当該メニュー項目に係るアプリケーションプログラムの操作画面に遷移する。
【００３０】
ここで、例えば、ランチャ画面において、タップ操作又はサイドコントローラ操作でスケジュールを選択して起動すると、図４に示すように、操作画面としてスケジュール画面が液晶パネル１２上に表示される。このスケジュール画面では、ウィンドウ表示エリア３１の上側にでるタイトルバー表示エリア３２、その下側にはタスクバー表示エリア３３が配置される。そして、ウィンドウ表示エリア３１とタイトルバー表示エリア３２とは境界線３４によって区分され、ウィンドウ表示エリア３１とタスクバー表示エリア３３とは境界線３５によって区分される。なお、タイトルバー表示エリア３２には、図３に示した前述のランチャ画面中のタイトルバー３８とは異なるタイトルバー３６が表示され、例えば、タイトルバー３６には、アプリケーションアイコン３６ａ、アプリケーション名３６ｂ、実年月日時刻３６ｃ、及び終了アイコン３６ｄが表示される。一方、タスクバー表示エリア３３には、図３に示した前述のランチャ画面中のタスクバー３９とは異なるタスクバー３７が表示され、このタスクバー３７には種々のタスク機能等を規定するアイコン等が表示されている（タスクバーの詳細は図４には示されていない）。これらのアイコンとしては、バックライトの点灯消灯用アイコン、メニューを表示するためのアイコン、通信関係の各種設定画面を表示するアイコン、液晶パネル１２の略下部にタップ操作用のキーボードを表示するアイコン等がある。
【００３１】
図３のランチャ画面と図４のスケジュール画面を比較すると、図３のランチャ画面を表示する際には、ＣＰＵ２１はタイトルバー表示エリア３２及びタスクバー表示エリア３３を部分的に拡張（面積を変更）して、図示するように拡張タイトルバー表示エリア３２ａ及び拡張タスクバー表示エリア３３ａを設けている。
【００３２】
このランチャ画面において、拡張タイトルバー表示エリア３２ａを形成する際には、前述の境界線３４を図中左端部分において下側凸状に湾曲させてタイトルバー３８の下側に部分的に拡張部分を形成する（面積を変更）ことになる（つまり、タイトルバー表示エリアの配列方向の左端部部分においてその配列方向と直交する方向に境界線を下側に移動（平行移動）させることになる）。同様に、拡張タスクバー表示エリア３３ａを形成する際には、境界線３５を図中左端部分で上側凸状に湾曲させてタスクバー３９の上側に部分的に拡張部分を形成することになる（つまり、タスクバー表示エリアの配列方向の左端部分において、その配列方向と直交する方向に境界線を上側に移動させることになる）。これらの拡張部分の形成は、図２に示すＣＰＵ２１にて処理するようにしてもよいし、予め表示画面のデータとして記憶部２２に記憶しておき、必要に応じて記憶部２２から表示画面データを読み出して、表示するようにしてもよい。
【００３３】
さらに、拡張タイトルバー表示エリア３２ａの拡張部分には、スクロールボタン（上側スクロールボタン）４１及び画面色変換ボタン（上側画面色変換ボタン）４２を表示するとともに、拡張タスクバー表示エリア３３ａの拡張部分にはスクロールボタン（下側スクロールボタン）４３及び画面色変換ボタン（下側画面色変換ボタン）４４を表示する。これらスクロールボタン４１及び４３と画面色変換ボタン４２及び４４は特定のアプリケーション操作ボタンであり、タイトルバー３８又はタスクバー３９に備えられた機能アイコンとはその機能が異なる。
【００３４】
いま、図３に示すランチャ画面でタップ操作又はサイドコントローラ操作でメニュー項目”アクセサリー”を選択すると、図５に示すアクセサリー画面に遷移する。アクセサリー画面に移行する際には、ランチャ画面に表示された境界線３４を全体にわたって下側に下げるとともに、この下げた分だけ、上側スクロールボタン４１及び上側画面色変換ボタン４２を下側に移動させる。タイトルバー３８の下側にランチャ画面から選択メニュー項目（アクセサリー）を移行させる。また、ランチャ画面に表示された境界線３５はそのままアクセサリー画面に移行し、拡張部分には下側スクロールボタン４３及び下側画面色変換ボタン４４が表示される。
【００３５】
なお、アクセサリー画面においてスクロールボタン４１及び４３と画面色変換ボタン４２及び４４とは前述のように機能する。また、拡張タイトルバー表示エリア３２ａに表示されたメニュー項目”アクセサリー”をタップ操作すると、ランチャ画面に復帰する。
【００３６】
また、ランチャ画面において、メニュー項目”設定”を選択すると、設定画面に遷移する。図示はしないが、この際にも、アクセサリー画面と同様の画面表示状態となる。
【００３７】
このように、ランチャ画面においてメニュー項目を選択した際、当該選択したメニュー項目が複数の項目（メニュー項目）を有している際には、前述のアクセサリー画面と同様に画面が表示されることになる。
【００３８】
上述のようにして、ランチャ画面等が表示された際には、タイトルバー表示エリア及びタスクバー表示エリアを部分的に拡張（面積を変更）して、この拡張部分にスクロールボタン及び画面色変換ボタンを表示するようにしたから、つまり、ランチャ画面等のメニュー選択画面等においてのみ特定のアプリケーション操作ボタンを表示させているから、他の操作画面においてウィンドウ表示エリアがタイトルバー表示エリア及びタスクバー表示エリアによって制限されることが少なく、操作性を向上できることになる。
【００３９】
なお、上述の例では、タイトルバー表示エリア及びタスクバー表示エリアを部分的に拡張する例について説明したが、タイトルバー表示エリア及びタスクバー表示エリアの少なくとも一方を拡張してこの拡張部分に特定機の能ボタンを表示するようにしてもよい。また、上述の例では、ウインドウエリアとタイトルバー表示エリアとを、また、ウインドウ表示エリアとタスクバー表示エリアとを境界線で区分した例を示したが、これら２つの表示エリアを区分するための境界を線で表すのではなく、例えば、点線、破線で表してもよく、また、広く線以外の表示で境界を表すものであってもよい。また、これら２つの表示エリアの背景色を異ならせることによって、２つの表示エリアの境界を表すようにしてもよい。
【００４０】
以上説明したように、複数の操作画面のうち予め規定された操作画面が表示部に表示されると、第２の表示エリアを拡張して拡張表示エリアとして、拡張表示エリアの拡張された（面積を変更した）部分に予め定められた動作機能を規定する特定のアプリケーション操作ボタンを表示するようにしたから、第１の表示エリアを制限することを少なくして、特定のアプリケーション操作ボタンを表示させることができ、操作性を向上できるという効果がある。
【００４１】
予め規定された操作画面が前記表示部に表示されると、第１の表示エリアと第２の表示エリアとの境界線を変更して第２の表示エリアを部分的に拡張して拡張表示エリアとするようにしたから、特定のアプリケーション操作ボタンが第２の表示エリアに含まれるように見え、違和感がなくなるという効果がある。
【００４２】
予め規定された操作画面が前記表示部に表示されると、第１の表示エリアと前記第２の表示エリアとの境界線を第２の表示エリアの配列方向の一端部で配列方向と直交する方向に変更（平行移動させる）して、第２の表示エリアを部分的に拡張して拡張表示エリアとするようにしたから、第１の表示エリアを制限することが極めて少ないという効果がある。
【００４３】
予め定められた動作機能を第２の表示エリアに表示されるアプリケーション操作ボタン配列部で規定される動作機能とは異なるようにしたから、第１の表示エリアを制限することなく、多種のアプリケーション操作ボタンを表示できるという効果がある。
【産業上の利用可能性】
【００４４】
情報端末装置において、前記複数のアプリケーションのうち、選択されたアプリケーションに応じた操作画面の面積を変更させるために、表示画面をより有効に活用することができる。
【符号の説明】
【００４５】
１１  外装ケース
１２  液晶パネル
１３  コントロールスイッチ（サイドコントローラ）
１４  エスケープスイッチ
１５  電源オン／オフスイッチ（電源スイッチ）
１６  挿入スロット
１７  外部接続ターミナル
１８  タッチペン（スタイラスペン）
１９  収納部
２１  中央処理装置（ＣＰＵ）
２２  記憶部
２３  サイドコントローラ操作検出部
２４  エスケープスイッチ操作検出部
２５  電源スイッチ操作検出部
２６  タッチパネル操作検出部
２７  液晶パネル駆動部
【図１】
2010134959.tif 000003
【図２】
2010134959.tif 000004
【図３】
2010134959.tif 000005
【図４】
2010134959.tif 000006
【図５】
2010134959.tif 000007